(57)【要約】本発明は、バックパックを背負っての歩行時に、バックパックの重さが身体にかかる衝撃を緩和するための装置であり、既存のバックパックのひもに簡単に取り付けて使用することができるバックパック緩衝器に関するものである。【選択図】図１
2020513284.tif 000002
【特許請求の範囲】
【請求項１】
バックパック緩衝器であって、
一端では移動子（２０）を結合することができるように内部が空いており、他の一端ではカバー（３０）を結合することができ、一面にひも結合部材（５０）と共にバックパックのひもを結合することができるひも連結部材（１２）を含む本体（１０）と、
スプリング（６０）を結合することができるようにスプリング筒（２４）を備え、スプリング筒にはスプリングの一端を固定するための固定ピン孔（２１）およびひも結合部材と共にバックパックのひもを結合することができるひも連結部材を含む移動子（２０）と、
本体に結合され、スプリングの一端を連結することができるスプリング連結部材（３１）を含むカバー（３０）と、
バックパックのひもを結合するために本体及び移動子のひも連結部材に結合することができる２つのひも結合部材（５０）と、
一端は移動子の固定ピン孔に連結され、他の一端はカバーのスプリング連結部材に連結されることができるスプリング（６０）と、を含むことをその特徴とするバックパック緩衝器。
【請求項２】
スプリングを結合することができるスプリング筒を両面に備え、各スプリング筒にはスプリングの一端を固定するための固定ピン孔と、他の一端にはスプリングの引張長さを制限する掛かり段（２５）とを備えた移動子と、
一端では移動子に結合することができるように内部が空いており、他の一端ではカバーを結合することができ、移動子の掛かり段に相応する止め段（１９）を備え、一面にひも結合部材と共にバックパックのひもを結合することができるひも連結部材を含む２つの本体と、
本体に結合され、スプリングの一端を連結することができるスプリング連結部材を含む２つのカバーと、
バックパックのひもを結合するために本体のひも連結部材に結合することができる２つのひも結合部材と、
一端は移動子の固定ピン孔に連結され、他の一端はカバーのスプリング連結部材に連結されることができるそれぞれ異なる引張力を有した複数のスプリングと、を含むことをその特徴とするバックパック緩衝器。
【請求項３】
複数の針（１５）が含まれたひも連結部材を含む本体及び移動子と、
複数の針が含まれたひも結合部材を含むことをその特徴とする、請求項１または２に記載のバックパック緩衝器。
【請求項４】
一面にロック装置を結合することができるロック装置溝（１１）を含む本体と、
一面にロック装置（４０）に相応する掛かり溝（２２）が含まれた移動子を含むことをその特徴とする、請求項１、２、３のうちいずれか一項に記載のバックパック緩衝器。
【請求項５】
レバー式ひも結合部材溝を備えたひも連結部材を含む本体及び移動子と、
本体及び移動子のひも連結部材に結合することができるレバー式ひも結合部材を含むことをその特徴とする、請求項１、２、４のうちいずれか一項に記載のバックパック緩衝器。
【発明の詳細な説明】
【技術分野】
【０００１】
本発明は、バックパックを背負っての歩行時に、バックパックの重さが身体にかかる衝撃を緩和するための装置で、既存のバックパックのひもに簡単に取り付けて使用することができるバックパック緩衝器に関する。
【背景技術】
【０００２】
最近、健康に対する関心が高まり、多くの人々が登山を生活に取り入れている。登山の際には、非常用品、食物などを携帯するために大小のバックパックを着用することになる。
【０００３】
一方、健康のための登山であるにもかかわらず、バックパックの重さによって膝に多くの衝撃を与えて、かえって健康に負担となっていることを多くの医師が指摘している。
【０００４】
登山というのは、上り下りがある山行であり、特に下り道では一歩毎にバックパックの重さの最大７〜８倍まで衝撃力が増加して、膝関節炎の主要な原因となっていることを医学界では警告している。
【０００５】
また、児童たちがバックパックの形態のかばんを背負って登下校するのに、過度な学習教材によってかばんの重さが重過ぎて、これもまた一歩毎にかばんの重さの数倍に該当する荷重が身体に作用して脊椎変形が起きる等、重いかばんの問題点をマスコミでも絶えず提起しているのが実情である。
【０００６】
しかし、バックパックの重さを減らすのが最も良い方法ではあるが、登山の必需品を減らすことは安全に問題があり、学生たちの教材も自ら決定できる問題ではないため、それもまた容易ではないのが現実である。
【０００７】
すなわち、多くの人々が健康のために登山を楽しんでいるが、逆にバックパックの重さによる衝撃により膝関節の負傷という危険性が常に存在するだけでなく、かばんの過度な重さによって児童たちの健康にも致命的な影響を及ぼしている問題点があった。
【発明の概要】
【発明が解決しようとする課題】
【０００８】
本発明は、従来技術の上述した諸欠点を解消するために案出されたものであり、バックパックの重力によって身体にかかる瞬間的な衝撃力をスプリングを用いて吸収、緩衝させる装置に関する技術を提供する。
【０００９】
このために本発明は、スプリング作動装置と、緩衝機能一時停止装置と、バックパックのひも連結装置とを含む。
【００１０】
すなわち、本発明は、２組からなり、バックパックの両側のひもに簡単に結合され、一歩毎に身体にかかるバックパックの荷重を緩衝させて、膝関節炎等の身体疾患を予防し、疲労度を減少させることにその目的がある。
【課題を解決するための手段】
【００１１】
図１、２で示したように、本発明は、上記のような目的を達成するために６つの部品から構成される。
【００１２】
すなわち、装置の形態を維持させる本体１０と、緩衝スプリングを内蔵し本体に連結されて長さの調節が可能な移動子２０と、移動子に内蔵された緩衝スプリングの一端を本体に固定するためのカバー３０と、緩衝機能を一時停止させることができるロック装置４０と、バックパックのひもに結合することができる２つのひも結合部材５０と、緩衝スプリングからなることをその特徴とする。
【発明の効果】
【００１３】
以上で説明したように、本発明のバックパック緩衝器は、重力により移動時に身体にかかるバックパックの重さの数倍に至る荷重を緩衝させて、膝関節炎等の身体疾患を予防し疲労度を減少させる効果がある。
【図面の簡単な説明】
【００１４】
【図１】本発明の実施例を示した斜視図である。
【図２】本発明の作動例を示した斜視図である。
【図３】本体の実施例を示した斜視図である。
【図４】移動子の実施例を示した斜視図である。
【図５】カバーとロック装置の実施例を示した斜視図である。
【図６】ひも結合部材の実施例を示した斜視図である。
【図７】本発明の作動例を示した断面図である。
【図８】ロック装置とひも結合部材の作動を示した断面図である。
【図９】二重緩衝装置の実施例を示した斜視図である。
【図１０】二重緩衝装置の実施例を示した断面図である。
【図１１】本発明をバックパックに装着した例を示した斜視図である。
【発明を実施するための形態】
【００１５】
上記のように構成された本発明を図面を参照して詳しく説明すれば、下記のとおりである。
【００１６】
本体１０は、図３のように、内部が空いている構造であり、一端では移動子２０を連結することができ、他の一端ではカバー３０を結合することができる。移動子連結方向の上端にはロック装置４０を結合することができるロック装置溝１１が備えられており、カバー結合方向の下端には本体のひも連結部材１２が備えられていて、ひも結合部材５０と共にバックパックのひもを結合することができる。また、ロック装置の回転軸を維持するためのピンを結合するために、ロック装置ピン孔１３を備えている。図３、図８のように、本体１０内部には移動子２０の任意回動を防止するために回動防止溝１４を備えている。バックパックのひも７０との強力な結束のために、ひも連結部材１２にはバックパックひもを貫通することのできる複数の針１５を備えている。また図７のように、ひも連結部材１２に階段式トンネル段１６を備えて、ひも結合部材と共にバックパックのひもとの摩擦力を増加させ、バックパックのひものすべり防止機能を強化している。ひも連結部材の両端にはナット孔１７を備え、ひも結合部材５０とねじで結合するようにしている。
【００１７】
移動子２０は、図４、図７のように、スプリングを結合することができるように内部が空いているスプリング筒２４を備えており、スプリング筒には、緩衝スプリング６０を固定するための固定ピンのための固定ピン孔２１が備えられている。上端にはロック装置４０に相応する掛かり溝２２が備えられて、必要時に移動子を固定することができる。下端には本体と同様に、複数の針と階段式トンネル段とナット孔を含むひも連結部材２３が備えられている。
【００１８】
カバー３０は、移動子に結合された緩衝スプリング６０と連結されて本体に結合され、このために図５、図７のように、スプリング連結部材３１が備えられている。これは、移動子と本体を緩衝スプリングによって連結する役割を果たす。
【００１９】
ロック装置４０は、本体にピンで結合され、このために図５のように、ロック装置ピン孔４１が備えられている。ロック装置は一定角度で左右に回転し、図７、図８のように、一方向４０ａでは移動子２０の掛かり溝２２と作用して移動子２０を固定し、他の一方向４０ｂでは移動子２０の固定を解除するスイッチの役割をする。ロック装置の任意回動を防止するためにスプリングの圧力による摩擦力を利用するが、このために一面にロック装置スプリング４２を結合するためのスプリング穴４３を備えている。ロック装置スプリングは、ロック装置を本体の壁に密着させ、摩擦力によりロック装置が任意回動することを防止する役割を果たす。
【００２０】
ひも結合部材５０は、図６のように、同一な形の２つからなっており、本体及び移動子のひも連結部材１２、２３に結合される。バックパックのひもに対する強力な固定のために、ひも結合部材５０には複数の針５１が備えられ、バックパックのひもを貫通させてバックパックのひもがすべることを防止する。また、本体及び移動子の階段式トンネル段に相応するための階段式トンネル段５２を備えた。両端には、本体及び移動子のナット孔１７にねじで結合するためのねじ孔５３が備えられている。
【００２１】
緩衝スプリング６０は、図７のように、一面は移動子２０が固定ピン２１に結合され、他の一面はカバー３０のスプリング連結部材３１に結合されて本体と連結され、バックパックの衝撃を吸収する役割を果たす。
【００２２】
本技術を応用すれば、二重緩衝装置として活用することができる。すなわち、図９のように、両面にそれぞれ異なる強度のスプリングを備えて、適用できるバックパックの重さの幅を増加させるための装置である。
【００２３】
これを説明すると、図９、図１０のように、移動子２０ｃの両面に緩衝スプリングを結合することができるスプリング筒２４ａ、２４ｂを備え、各スプリング筒に対応する本体１０ａ、１０ｂとカバー３０ａ、３０ｂとを結合する。一面のスプリング筒２４ａには引張力が弱いスプリング６０ａを結合し、他のスプリング筒２４ｂには強いスプリング６０ｂを結合する。
【００２４】
作動時に弱いスプリング６０ａが過度に伸びることを防止するために、スプリング筒２４ａには掛かり段２５を備え、本体１０ａにはそれに相応する止め段１９を備えて、本体１０ａがスプリング筒２４ａに引っ掛かって弱いスプリング６０ａがそれ以上作動しない時には、強いスプリング６０ｂが作動するようにした。
【００２５】
固定ピン孔２１ａ、２１ｂとスプリング連結部材３１ａ、３１ｂの機能は、既に説明したとおりである。
【００２６】
本体のひも連結部材１８ａ、１８ｂには、レバー式ひも結合部材５０ａ、５０ｂを結合することができるように、ひも結合部材連結溝５１ａ、５１ｂを備える。
【００２７】
レバー式ひも結合部材５０ａ、５０ｂには、ひもが引っ張られる程ひもをさらに締めることができるように、ひも接触面に複数の針５２ａ、５２ｂを備える。
【００２８】
本発明の作動例を見ると、図７のように、本体１０と移動子２０は緩衝スプリング６０によって連結される。図８のように、本体及び移動子のひも連結部材１２、２３にバックパックのひも７０をおいた後、ひも結合部材５０を閉じてねじで締結し、バックパックのひも７０に移動子が伸びる長さだけの余裕間隔を置いて結合して、移動子が自由に伸びることができるようにする。移動子は、余裕の長さの分だけ伸びることができるため、どのような場合にも本体から離脱せず、また緩衝スプリングに対する過負荷も防止する。図７、図８のように、ロック装置をロック機能４０ａにすれば、移動子が固定されて通常のバックパックの役割のみをし、回転させてオープン機能４０ｂに切り替えれば、緩衝スプリングによる緩衝機能が作動する。
【００２９】
すなわち、必要時には緩衝機能を使用し、緩衝機能が不要な場合には機能を停止することができる。すなわち、バックパックを着用した状態で、移動中でもロック装置の簡単な操作により緩衝機能を使用または停止することができる。
【００３０】
以上の技術を使用した本発明は、バックパックの両側のひもの下端にバックパックのいかなる変形もなしに簡単に結合され、本発明１００をバックパック２００に結合した例が図１１に示されている。
【００３１】
本発明はバックパックの重さの身体に対する衝撃力を減少させることにより、重いバックパック着用に伴う膝関節疾患等を予防し、疲労度を減少させることができる有用な技術である。
【図１】
2020513284.tif 000003
【図２】
2020513284.tif 000004
【図３】
2020513284.tif 000005
【図４】
2020513284.tif 000006
【図５】
2020513284.tif 000007
【図６】
2020513284.tif 000008
【図７】
2020513284.tif 000009
【図８】
2020513284.tif 000010
【図９】
2020513284.tif 000011
【図１０】
2020513284.tif 000012
【図１１】
2020513284.tif 000013
【国際調査報告】
2020513284.tif 000014
2020513284.tif 000015
2020513284.tif 000016
2020513284.tif 000017
2020513284.tif 000018
2020513284.tif 000019